(57)【要約】【課題】従来のリモートコントロールシステムでは、使用者が必要とする機能を一々学習リモコンに送信して設定しなければならない、使用者が必要な機能を指定する手順が複雑である、相手側の機器にどのような機能があるのかを、容易に把握することができない等の操作性の悪さが問題であった。【解決手段】被制御機器の表示手段に、機能を一覧表示させ、かかる一覧表示で選択された機能を一括して学習リモコンに送信するようにした。【選択図】　図１
2004072384.tif 000002
【特許請求の範囲】
【請求項１】
リモコンと被制御機器の間で双方向に信号を送受信するリモートコントロールシステムにおいて、
前記被制御機器は、前記リモコンからの操作指示に応じて、被制御機器の有する機能の一覧表を作成する機能表示作成手段と、前記作成された一覧表を表示する表示手段と、前記表示された一覧表の中から、使用者が必要とする機能を選択する選択手段と、前記選択された機能のリモコンコードを一括して前記リモコンに送信するリモコンコード送信手段と、を具備し、
前記リモコンは、前記被制御機器に対して操作指示を送信する操作指示送信手段と、前記被制御機器から送信されたリモコンコードを受信するリモコンコード受信手段と、前記リモコンコードを記憶する記憶手段と、を具備することを特徴とするリモートコントロールシステム。
【発明の詳細な説明】
【０００１】
【発明の属する技術分野】
本発明はリモートコントロールシステムに関わり、特にＡＶ（オーディオ・ビジュアル）システム及びその構成要素となるテレビジョン、ＶＴＲ、ＤＶＤ、ＨＤＤレコーダ、音響機器等に用いられるリモートコントロールシステムに好適に適用できるものである。
【０００２】
【従来の技術】
近年、家庭におけるＡＶ機器は多種多様になり、ＡＶ機器単体としてのみならずＡＶシステムとしても存在するようになっている。また、そのほとんどのＡＶ機器がリモートコントロール（以下、リモコンという）操作が可能となっている。
【０００３】
かかる状況において、家庭内のＡＶ機器の増加に伴い、そのリモコンも増加している。そして、このリモコンの増加が家庭内において問題となっている。即ち、数多くのリモコンが家庭内に氾濫することにより、その整理が煩わしい、また、リモコンの所在が不明となる場合がある、或いは紛失してしまう場合がある等の問題が生じている。
【０００４】
上記のような問題を解決する手段として、所謂「学習リモコン」と称されるリモコンが開発されている。この学習リモコンによれば、複数のリモコンの機能をこの学習リモコンに登録（学習）させることにより、複数のリモコンを一つの学習リモコンに統合させることができる。
【０００５】
しかしながら、かかる学習リモコンでは、多種多様なＡＶ機器の多種多様な機能に対応させるため、複数のボタンが設けられ操作が複雑になるという問題がある。
【０００６】
そこで、上記問題を解決することを目的として実開平１−８６３８８号公報に記載されているリモートコントロールシステムが提案されている。
【０００７】
このリモートコントロールシステムによれば、学習リモコンに使用者が必要とする機能のみを選択して学習させる旨が記載されている。
【０００８】
以下、これを実現する手段を図４を用いて説明する。
【０００９】
図４は、上記公報に記載されているリモートコントロールシステムのブロック図である。
【００１０】
図４において、４０２はリモコン送信機、４０１はテレビジョン受信機である。テレビジョン受信機４０１は、操作キー４０３、エンコード回路４０４、デコード回路４０６、受信回路４０５、送信回路４０７から構成されている。また、リモコン送信機４０２は、操作キー４０８、エンコード回路４１２、デコード回路４１０、メモリ４１１、受信回路４０９、送信回路４１３から構成されている。
【００１１】
リモコン送信機４０２にテレビジョン受信機４０１の機能を学習させる場合、テレビジョン受信機４０１では、学習させようとする機能に対応するキーを操作キー４０３により選択する。この選択された機能は、エンコード回路４０６によりリモートコントロールコードに変換される。このリモートコントロールコードは、送信回路４０７によりリモコン送信機４０２に送信される。一方、リモコン送信機４０２では、操作キー４０８の操作により学習モードとし、前記テレビジョン受信機４０１からのリモートコントロール信号を受信回路４０９で受信する。受信されたリモートコントロール信号は、デコード回路４１０でリモコンコードが解読される。この解読されたリモコンコードはメモリ４１１に記憶される。
【００１２】
以上のような手順により、使用者が必要とする機能のみをリモコンに学習させることができる。
【００１３】
【発明が解決しようとする課題】
しかしながら、上記公報に記載された従来のリモートコントロールシステムでは、使用者が必要とする機能を一々リモコンに送信して設定しなければならない、また、使用者が必要な機能を指定する手順が複雑である等、使用者の使用上の操作性の悪さに問題があった。
【００１４】
更にテレビジョン受信機にどのような機能があるのかを、容易に把握することができなかったため、機能の選択漏れが生じる虞があった。
【００１５】
本発明は、かかる課題に鑑み、これを解決したリモートコントロールシステムを提供することを目的とするものである。
【００１６】
【課題を解決するための手段】
本発明は、上記課題を解決するため、以下のような手段を講じた。
【００１７】
即ち、本発明に係るリモートコントロールシステムは、リモコンと被制御機器の間で双方向に信号を送受信するリモートコントロールシステムにおいて、前記被制御機器は、前記リモコンからの操作指示に応じて、被制御機器の有する機能の一覧表を作成する機能表示作成手段と、前記作成された一覧表を表示する表示手段と、前記表示された一覧表の中から、使用者が必要とする機能を選択する選択手段と、前記選択された機能のリモコンコードを一括して前記リモコンに送信するリモコンコード送信手段と、を具備し、前記リモコンは、前記被制御機器に対して操作指示を送信する操作指示送信手段と、前記被制御機器から送信されたリモコンコードを受信するリモコンコード受信手段と、前記リモコンコードを記憶する記憶手段と、を具備することを特徴とするものである。
【００１８】
【発明の実施の形態】
図１は、本発明に関わるリモートコントロールシステムにおける、被制御機器のブロック図である。ここで、被制御機器としては、テレビジョン受信機、ＶＴＲ、ＤＶＤ、ＨＤＤレコーダ、ＡＶコントローラ等のＡＶ機器が想定される。
【００１９】
図１において、１０１は使用者による操作を入力する操作手段、１０２はリモコンからの信号を受信する受信回路、１０３はかかるシステムを制御する制御マイコン、１０４は受信したリモコン信号を解読するデコード回路、１０５はマイコンを動作させるプログラムや必要なデータを記憶しておくメモリ、１０６はマイコンからの指示に従ってＯＳＤ画面を作成するＯＳＤ画面生成回路、１０７はかかるＯＳＤを表示する表示部、１０８は被制御機器の機能をリモコンコードに変換するエンコード回路、１０９はエンコードされたリモコンコードをリモコン装置に送信する送信回路である。
【００２０】
以上の構成により、操作手段１０１で操作された結果は、マイコン１０３に入力される。マイコン１０３は、操作に従ってＯＳＤ画面生成回路にＯＳＤ画面を生成するように動作する。ＯＳＤ画面生成回路１０６で生成されたＯＳＤ画面は、表示部１０７に表示される。一方、マイコンはエンコード回路１０８にリモコンコードのエンコードを指示する。エンコードされたリモコンコードは送信回路１０９から送信される。また、受信回路１０２は、リモコンからの信号を受信する。受信された信号は、デコード回路１０４でデコードされマイコン１０３にその結果が入力される。
【００２１】
図３は、上記被制御機器の動作手順を説明したフローチャートである。以下、図１、図３を参照して動作手順を説明する。
【００２２】
使用者は、操作手段１０１により被制御機器の機能の一覧を表示部１０７に表示させるように操作をする（ステップＳ３０２）。かかる操作は、マイコン１０３に入力される。マイコン１０３は、ＯＳＤ画面生成回路１０６に対し被制御機器の機能一覧表を生成するように指示を行う（ステップＳ３０３）。この指示を受けたＯＳＤ画面生成回路１０６は被制御機器の機能一覧表を生成し、表示部１０７にこの一覧表を表示する（ステップＳ３０４）。
【００２３】
使用者は、表示部１０７に表示された、この機能一覧表を見て必要な機能をチェックする（ステップＳ３０５）。そして、リモコンを学習モードにした後（ステップＳ３０６）、操作手段１０１を操作し、チェックされた被制御機器の機能のリモコンコードをリモコンに送信する（ステップＳ３０７）。
【００２４】
以上の操作により、使用者の必要とする機能が一括してリモコンに送信され、使用者の操作性の向上に資する。
【００２５】
尚、図２に上記機能一覧表の例を示す。使用者は、この一覧表の中から必要な機能のみを選択する。選択された機能にはチェックマーク等が付され、選択されなかった機能と区別することができる。このチェックマークのついた機能のみが一括して学習リモコンに送信されることになる。
【００２６】
【発明の効果】
本発明によれば、使用者により選択された被制御機器の機能のリモコンコードを一括して学習リモコンに送信するため、一つ一つの機能を逐次送信する煩わしさを解消することができる。また、操作が簡便になり、無駄な手間や時間が省けるという効果を奏する。
【００２７】
また、被制御機器の機能を一覧表として画面に表示するようにしたので、その被制御機器の機能として、どのような機能があるのかを容易に知ることができ、学習リモコンに学習させるべき機能の選択に役立つという効果を奏する。
【図面の簡単な説明】
【図１】本発明に係るリモートコントロールシステムのブロック図である。
【図２】本発明に係るリモートコントロールシステムの画面表示例である。
【図３】本発明に係るリモートコントロールシステムのフローチャートである。
【図４】従来のリモートコントロールシステムのブロック図である。
【符号の説明】
１０１、４０３、４０８・・・操作手段、１０２、４０５、４０９・・・受信回路、１０３・・・マイコン、１０４、４０６、４１０・・・デコード回路、１０５、４１１・・・メモリ、１０６・・・ＯＳＤ画面生成回路、１０７・・・表示部、１０８、４０４、４１２・・・エンコード回路、１０９、４０７、４１３・・・送信回路、４０１・・・テレビジョン受信機、４０２・・・リモコン送信機
【図１】
2004072384.tif 000003
【図２】
2004072384.tif 000004
【図３】
2004072384.tif 000005
【図４】
2004072384.tif 000006